(57)【要約】  上部で横梁によって連結され下部で基部によって連結される２つの垂直な柱により構成される種類の運動機器のウエイトタワー内に設置され、  前記基部には、鋼線によって垂直に動かされて前記横梁と前記基部との間の垂直ガイドを滑り得る単位ウエイトが積み重ねて置かれ、  前記タワーは、その上部に前記タワーの下部より届く鋼線を前記タワーの中央に向かうように方向転換する滑車を有し、  前記タワー中央では、前記鋼線が前記単位ウエイトに取り付けられている、  「運動機器の端数ウエイトリフティングプレートのための電気機械的機械装置」。  前記鋼線を方向転換する前記滑車（８）は軸（１１）の中央に据えられ、  前記軸（１１）は、前記タワーの横梁（２）に取り付けられた一組のベアリング（１３）により吊り下げられて前記横梁（２）に平行である状態を維持し、  前記軸（１１）上には、線形アクチュエータ（２４）のカーソル（２３）により軸方向に進むロッド（２０）により導かれる、軸（１１）上の長手方向に滑り込むように据えられ隣接した盤（１９）の連結部（１８）内に収容可能な連結部（１７）を側部に備える滑車（１５）が前記滑車（８）の両側に据えられ、  端に保持される円柱状の端数ウェイト（３１または３２）をタワーの前記横梁（２）及び基部（３）に取り付けられた管（３０）内に垂直に吊るし方向転換滑車（２９）によってタワーを通り抜ける鋼線（１６）が、各前記滑車（１５）に固定されている。【選択図】図１
2012524554.tif 000002
【特許請求の範囲】
【請求項１】
上部で横梁によって連結され下部で基部によって連結される２つの垂直な柱により構成される種類の運動機器のウエイトタワー内に設置され、
前記基部には、鋼線によって垂直に動かされて前記横梁と前記基部との間の垂直ガイドを滑り得る単位ウエイトが積み重ねて置かれ、
前記タワーは、その上部に前記タワーの下部より届く鋼線を前記タワーの中央に向かうように方向転換する滑車を有し、
前記タワー中央では、前記鋼線が前記単位ウエイトに取り付けられている、
「運動機器の端数ウエイトリフティングプレートのための電気機械的機械装置」であって、
前記鋼線を方向転換する前記滑車（８）は軸（１１）の中央に据えられていること、
前記軸（１１）は、前記タワーの横梁（２）に取り付けられた一組のベアリング（１３）により吊り下げられて前記横梁（２）に平行である状態を維持していること、
前記軸（１１）上には、線形アクチュエータ（２４）のカーソル（２３）により軸方向に進むロッド（２０）により導かれる、軸（１１）上の長手方向に滑り込むように据えられ隣接した盤（１９）の連結部（１８）内に収容可能な連結部（１７）を側部に備える滑車（１５）が前記滑車（８）の両側に据えられていること、および、
端に保持される円柱状の端数ウェイト（３１または３２）をタワーの前記横梁（２）及び基部（３）に取り付けられた管（３０）内に垂直に吊るし方向転換滑車（２９）によってタワーを通り抜ける鋼線（１６）が、各前記滑車（１５）に固定されていること、
を特徴とする「運動機器の端数ウエイトリフティングプレートのための電気機械的機械装置」。
【請求項２】
前記鋼線の方向を変える前記滑車（８）が、管状であり、前記タワーの前記横梁（２）に取り付けられた前記ベアリング（１３）にブッシング（１２）によって据えられることを特徴とする請求項１に記載の「運動機器の端数ウエイトリフティングプレートのための電気機械的機械装置」。
【請求項３】
ベアリング（１４）により据えられた前記滑車（１５）を両側で受ける前記ベアリング（１２）から、前記軸（１１）が、外に向かって突出すること；
前記軸（１１）上に長手方向に滑り込むように据えられる前記盤（１９）が、前記軸（１１）の穴（２２）を通り抜ける放射状ピン（２１）を垂直に具備する前記ロッド（２０）まで導かれること、
前記ロッド（２０）が前記線形アクチュエータ（２４）の前記カーソルにより、回転継手（２５）を通り、軸方向に進むことを特徴とする、請求項２に記載の「運動機器の分割ウエイトリフティングプレートのための電気機械的機械装置」。
【請求項４】
分割ウエイトリフティングプレート（３１及び３２）の導管が、閉じられた基部を有し、前記ウエイトとの間に内部空間をほとんど持たず、そして底にゴムの緩衝材を有することを特徴とする、請求項１に記載の「運動機器の端数ウエイトリフティングプレートのための電気機械的機械装置」。
【請求項５】
前記軸（１１）の先端は、盤（２６）を有し、
前記盤（２６）は、表面に穿孔を持ち、また、前記盤（２６）の縁は前記盤（２６）の穴間の距離の倍数にならない距離を置いて２つの光学センサー（２７）に収容されており、前記盤が回転する際にパルスを数えるように設計され、さらに、回転方向を理解する電気システムを共に作動させるセンサーを有することを特徴とする、請求項１に記載の「運動機器の端数ウエイトリフティングプレートのための電気機械的機械装置」。
【発明の詳細な説明】
【技術分野】
【０００１】
本明細書は運動機器における端数ウエイトリフティングプレートを制御するための電気機械的システム、より具体的には、運動機器の使用者により選択される総量を単位ウエイトとともに構成する一連の端数ウエイトリフティングプレートと連動するために、運動機器のウエイトタワーに固定されたベアリングに据えられた、滑車を有する軸に関する。
【０００２】
当業者が認識しているように、運動機器のウエイトタワーは積み上げられた多数の単位ウエイトを有し、その単位ウエイトの全体または一部分は、使用者が動かす運動機器の能動的な構成材が動かす中央の垂直な鋼線により、タワー内で持ち上げられ得る。下方のウエイトの下まで延び鋼線の上部に取り付けられた軸の一連の穴に対応する各ウエイトの穴に通す水平ピンを挿入することにより、持ち上げるウエイトを選択することが可能となる。ピンにより選択されたウエイトは、その上部にあるウエイトも持ち上げる。
【０００３】
最新のタワーは、運動機器に固定された計器盤により制御される、ウエイトを選択するための電気機械的システムを有する。
【０００４】
多くの従来型のタワーは、各々１０キロ加重する単位ウエイト及び、通常５ｋｇ及び２．５ｋｇの追加端数加重の連結に用いる追加ピンを単位ウエイトのガイドに平行なガイド内に有する。
【０００５】
従って本発明の目的の一つは、単位ウエイトタワー内の端数ウエイトリフティングプレートの電動式選択を可能にするような、端数ウエイトリフティングプレートを制御するための電気機械的システムを運動機器内に提供することである。
【０００６】
本発明のこれらの、および、他の目的と利点は、以下によって達成される：上部で横梁によって連結され下部で基部によって連結される２つの垂直な柱により構成される種類の運動機器のウエイトタワー内に設置され、前記基部には、鋼線によって垂直に動かされて前記横梁と前記基部との間の垂直ガイドを滑り得る単位ウエイトが積み重ねて置かれ、
前記タワーは、その上部に前記タワーの下部より届く鋼線を前記タワーの中央に向かうように方向転換する滑車を有し、前記タワー中央では、前記鋼線が前記単位ウエイトに取り付けられている。
本発明によると、機械装置は、
前記タワーの横梁に取り付けられた一組のベアリングにより吊り下げられて前記横梁に平行である状態を維持している軸の中央に据えられている前記滑車と、
前記軸上で前記滑車の両側に据えられている、線形アクチュエータのカーソルにより軸方向に進むロッドにより導かれる、軸上の長手方向に滑り込むように据えられ隣接した盤の連結部内に収容可能な連結部を側部に備える滑車と、
端に保持される円柱状の端数ウエイトをタワーの前記横梁及び基部に取り付けられた管内に垂直に吊るし方向転換滑車によってタワーを通り抜ける、各前記滑車に固定された鋼線と、
により構成される。
【０００７】
次に本発明は、添付の図面を参照して説明されるであろう。
【図面の簡単な説明】
【０００８】
【図１】本発明の目的である機械装置を有するタワーの、正面立面図を表す。
【図２】本発明の目的である機械装置を用いたタワーの垂直断面図である。
【図３】タワー上部の滑車の軸を通過する、機械装置の長手方向横断面図である。
【図４】滑車の軸を横断する、タワー上部の横断面図である。
【０００９】
それら図に記載のように、本発明の目的である運動機器の端数ウエイトリフティングプレートを制御するための電気機械的機械装置は、上部で横梁２によって連結され下部で前記柱１を支える基部３によって連結される２本の垂直な柱１から構成されるウエイトタワーに適用され、それによって、図１及び図２に示され得るように、積み重ねられた多数の単位ウエイト４が収容される、柱１、横梁２及び基部３間の長方形の空間が形成される。単位ウエイト４は、図１に示すように、横梁２及び基部３間に据えられる垂直ガイド５が通る垂直な穴を有する。
【００１０】
上方の単位ウエイト４上に、対応するその中の中央の穴により全ての単位ウエイト４を通り抜ける垂直棒６と共に連結プラークがあり、そしてプラークは、単位ウエイト４を持ち上げる鋼線７の端に取り付けられる。
【００１１】
電気機械的機械装置は、垂直棒６と適切に選択された単位ウエイト４の一つとの間の連結を助ける。そのため、鋼線７は、選択されたウエイト４に加え、その上のウエイト全てを、棒６によって持ち上げる。
【００１２】
本発明は、選択的な連結のための電気機械的選択器を用いて、単位ウエイトの１／２または１／２＋１／４に相当する端数ウエイトリフティングプレートを単位ウエイト４へ付加することから成る。
【００１３】
図３及び図４において、端数ウエイトリフティングプレートのための電気機械的選択器は、図２において矢印によって図示されるようにケーブルを水平に運動機器へと導く方向転換滑車１０のある基部３から届く鋼線７をタワー中央にて下方へ方向転換するタワー上部の中央滑車８を使用することから成る。
【００１４】
従って、滑車８は、タワーの横梁２に取り付けられたベアリング１３のブッシング１２に据えられた管状軸１１を有する。管状軸１１は、ブッシング１２の外側へと突出し、ベアリング１３の両側にて、小さい計測器を持つ鋼線またはベルトのための溝を有する２つの滑車１５のブッシング１４を受ける。
【００１５】
各滑車は、軸１１上の長手方向に滑り込むように据えられる盤１９の回転連結部１７を、類似連結部１８の向かい側に有する。同じ軸１１の両端の内部には円柱２０が収容され、そこでは、放射状ピン２１が、端に収容されて、軸１１とは反対側の壁に備えられた楕円穴２２を垂直に通り、各盤１９へのピン２１の連結を可能にする。ロッド２０と反対の端は、軸の穴を出て、回転接合部２５によって、線形アクチュエータ２４のカーソル２３と連結し、また、各アクチュエータ２４はタワーの横梁２に取り付けられる。上記で記載したように、軸１１は、両端にロッド２０を有し、さらに、各ロッド２０に一つの線形アクチュエータ２４を有する。
【００１６】
図３にて示すことができるように、軸１１の一端にはまた、表面に穿孔のある盤２６が軸方向に具備され、盤の縁が２つの光学センサー２７内に収容されるよう配置される。
【００１７】
２つの光学センサー２７は互いに近くに配置され、盤２６の穴間の距離の倍数にならない距離に配置される。その結果、制御盤のＣＰＵは、盤２６が回転する方向を認識し、また、ウエイトを上げ下げする動作において穴の総量を数える。
【００１８】
図４は、各滑車１５が、その端子部２８が収容される溝の下部の一点に鋼線１６（またはベルト）を密接に取り付けられている様子を説明し、鋼線１６は、タワーの後ろに延び、そこで、方向転換滑車２９を通る際に下方に垂直に方向転換する。
【００１９】
タワーの横梁２及び基部３に固定された２つの垂直管３０は、２つの円柱状のウエイト、すなわち、５ｋｇ加重ウエイト３１及び２．５ｋｇ加重ウエイト３２を垂直に及び滑り込むように受け入れ、各ウエイトは管３０内にあり、中央で連結する鋼線１６によって吊るされる。
【００２０】
下端にて管３０は閉じられ、各ケーブルの断線による自由落下の際の錘３１または錘３２のどちらの衝撃でも緩衝するために下方にゴムの緩衝材３３を含み得る。管はまた、底が閉じられているのでウエイトがピストンとして働き部分的に空気が圧縮され、自由落下の緩衝を援助する。作働しない時と同じ位置に滑車１５をいつも維持するように、ケーブルを動かし続け、錘３１及び錘３２は、各鋼線１６により、管３０の底に接することなく、吊るされる。
【００２１】
タワーの選択された単位ウエイト４とともに一つまたは二つの端数ウエイトリフティングプレート３１及び３２を上げるために、電子制御盤は、一または両方の線形アクチュエータを作働させる。アクチュエータは、ロッド２０を軸１１内に軸方向に押し、ピン２１によって盤１９を滑車１５の方向に導き、連結部１７及び連結部１８を連結すると、滑車１５は軸１１に導かれ回転する。その状態で、滑車１５は錘３１又は錘３２または両方を吊るすケーブル１６を巻きつける。タワーの単位ウエイト４が重さ１０ｋｇの場合、重さ５ｋｇ及び２．５ｋｇの端数ウエイトリフティングプレートが使用され、その結果、２つの線形アクチュエータ２４の選択的な作働は、４つの等間隙で、重さ１０ｋｇの間隙を埋め得る。
【００２２】
盤２６及び光学センサー２７は、鋼線７の直線の動きに関連する、従って単位ウエイト４の移動に関連する滑車８の角度方向の動きを読み取り、この情報は、情報を理解し、選択システムのセンサーにより通知される加重情報に情報を加え、運動で消費したエネルギーを計器盤画面に表示する運動機器の電子計器盤に中継される。
【図１】
2012524554.tif 000003
【図２】
2012524554.tif 000004
【図３】
2012524554.tif 000005
【図４】
2012524554.tif 000006
【国際調査報告】
2012524554.tif 000007
2012524554.tif 000008
2012524554.tif 000009
2012524554.tif 000010